(57)【要約】      （修正有）【課題】種々の物も収納できて、且つ寝たままでも取り出すことができ、極めて使い勝手の良い、実用的な枕を支持できる敷布団カバーを提供する。【解決手段】境界線を中心線として、上半分を下方へ折り返して、ベッドマット２の裏方に沿わせ、固定用紐７Ａと５Ｂと、固定用紐８Ａと６Ｂとをそれぞれ結んで、ベッドマット２及び敷布団３の上部を包むように、敷布団カバー本体１を取り付ける。また、枕支持用布地１０の上端部の固定用紐１２と敷布団カバー本体１に一端が取り付けられた固定用紐１３とを、また枕支持用布地１０の下端部の固定用紐１４と敷布団カバー本体１に一端が取り付けられた固定用紐１５とをそれぞれ結ぶことにより、敷布団カバー本体１に枕支持用布地１０を取り付けて固定する。そして、前記枕支持用布地１０と前記敷布団カバー本体１との間に枕１１を入れる。【選択図】図２
2015039375.tif 000002
【特許請求の範囲】
【請求項１】
枕を支持できる敷布団カバーであって、リクライニングベッドの、少なくとも背もたれ部分上のベッドマット及び敷布団を、又は少なくとも前記背もたれ部分上の前記敷布団を包むように取り付けられると共に、前記枕が出し入れ可能であって収納された場合には前記背もたれ部分が起きた状態でもずり落ちないように前記枕を支持できるような枕収納部を設けたことを特徴とする枕を支持できる敷布団カバー。
【請求項２】
前記枕収納部を形成する形成部材を、固定手段により取り付け取り外し可能としたことを特徴とする請求項１に記載の枕を支持できる敷布団カバー。
【請求項３】
前記枕収納部を形成する前記形成部材に、使用者の頭部を冷却するための冷却枕を収納して支持できる冷却枕支持用収納部を形成したことを特徴とする請求項２に記載の枕を支持できる敷布団カバー。
【請求項４】
種々の物を収納することができる物入れポケットを設けたことを特徴とする請求項１に記載の枕を支持できる敷布団カバー。
【発明の詳細な説明】
【技術分野】
【０００１】
本発明は、枕を支持できる敷布団カバー、特にリクライニングベッドにおいて使用する場合に好適な枕を支持できる敷布団カバーに関する。
【背景技術】
【０００２】
前記リクライニングベッドの背もたれ部分を起こした場合には、枕はずり落ちやすいので、誠に使用勝手が悪い。このため、例えば特許文献１等において、枕を保持してずり落ちしないようにする枕保持構造が提案されている。即ち、この枕保持構造は、前記リクライニングベッドの背もたれ部分を起こした場合に、枕のずり落ちは防止できる構造であるが、枕カバーに耳形の紐掛けを設けたり、ベッドの上半身支持床のヘッド側エッジ部に他の紐掛けを設けて、両紐掛け間に紐材を折り返して接続するようにする構造である。
【先行技術文献】
【特許文献】
【０００３】
【特許文献１】特開２００５−２８７５４５号公報
【発明の概要】
【発明が解決しようとする課題】
【０００４】
しかし、上述したような構造では、枕カバーに耳形の紐掛けを設けたり、ベッドの上半身支持床のヘッド側エッジ部に他の紐掛けを設ける必要があり、構造が複雑で、実用的ではない。
【０００５】
そこで本発明は、上記問題点に鑑み、構造が簡単であって、種々の物も収納できて且つ寝たままでも取り出すことができ、極めて使い勝手の良い、実用的な枕を支持できる敷布団カバーを提供することを目的とする。
【課題を解決するための手段】
【０００６】
このため第１の発明は、枕を支持できる敷布団カバーであって、リクライニングベッドの、少なくとも背もたれ部分上のベッドマット及び敷布団を、又は少なくとも前記背もたれ部分上の前記敷布団を包むように取り付けられると共に、前記枕が出し入れ可能であって収納された場合には前記背もたれ部分が起きた状態でもずり落ちないように前記枕を支持できるような枕収納部を設けたことを特徴とする。
【０００７】
また第２の発明は、第１の発明において、前記枕収納部を形成する形成部材を、固定手段により取り付け取り外し可能としたことを特徴とする。
【０００８】
また第３の発明は、第２の発明において、前記枕収納部を形成する前記形成部材に、使用者の頭部を冷却するための冷却枕を収納して支持できる冷却枕支持用収納部を形成したことを特徴とする。
【０００９】
更に第４の発明は、第１乃至第３の発明において、種々の物を収納することができる物入れポケットを設けたことを特徴とする。
【発明の効果】
【００１０】
本発明は、構造が簡単であって、種々の物も収納できて且つ寝たままでも取り出すことができ、極めて使い勝手の良い、実用的な枕を支持できる敷布団カバーを提供することができる。
【図面の簡単な説明】
【００１１】
【図１】枕を支持できる敷布団カバーを展開した状態の平面図である。
【図２】リクライニングベッドに使用して背もたれ部分を起こした場合の使用状態を示す斜視図である。
【発明を実施するための形態】
【００１２】
図１は本発明の枕を支持できる敷布団カバーを展開した状態の平面図、図２はリクライニングベッドに使用して背もたれ部分を起こした場合の使用状態を示す斜視図であり、この図１及び図２に基づいて、以下本発明の実施形態について説明する。
【００１３】
１はタオル地で作製された敷布団カバー本体で、図１において、ベッドマット２の裏面側に、又はこのベッドマット２上に敷かれる敷布団３の裏面側に敷かれる上半分１Ａと、前記敷布団３上に敷かれる下半分１Ｂとが線対称の形状を呈している。
【００１４】
そして、前記上半分１Ａと前記下半分１Ｂとの境界線１Ｃ上であった左右の端部より内方へ所定距離寄った所定の位置を頂点として、三角形状の切除部１Ｄが左右にそれぞれ形成される。
【００１５】
そして、前記上半分１Ａを下方へ折り返して、前記敷布団３のみか、この敷布団３及び前記ベッドマット２に前記敷布団カバー本体１を取り付けた際に、前記敷布団３の、又は前記敷布団３及び前記ベッドマット２の左上角部及び右上角部が前記切除部１Ｄにより形成される開口から外方へはみ出すこととなる。
【００１６】
前記敷布団カバー本体１の横幅は、前記敷布団３の横幅と同じか、少し長めに設定されている。また、前記上半分１Ａ及び前記下半分１Ｂの縦方向の長さは、前記敷布団３（及びベッドマット２）に前記敷布団カバー本体１を取り付けた際に、後述するように、枕１１を使用してリクライニングベッドＲＢに使用者が寝た際に肩まで伸びる程度の長さであるが、これよりも長くしてよく、更には前記敷布団３（及びベッドマット２）全体を包むような長さでもよい。
【００１７】
そして、前記上半分１Ａの前記切除部１Ｄが形成されていない部分における左右の外側端部には所定間隔を存してそれぞれ２本ずつ固定手段としての固定用紐５Ａ、５Ｂ、６Ａ、６Ｂが設けられる。また、前記下半分１Ｂの前記切除部１Ｄが形成されていない部分における左右の外側端部には所定間隔を存してそれぞれ２本ずつ同じく連結手段としての固定用紐７Ａ、７Ｂ、８Ａ、８Ｂが設けられる。
【００１８】
そして、前記下半分１Ｂの下部の左右端部には、それぞれ物入れ用ポケット（上方が開放した袋状を呈している。）Ｐを形成して上方から（図１の斜線部分９Ａは開放しているため。）出し入れできるように、前記敷布団カバー本体１に図１の斜線部分９Ａは縫い付けせずに、タオル地から成るポケット用布地９の他の三方が縫い付けられて取り付けられる。
【００１９】
前記ポケット用布地９の上端は、前述したように、前記斜線９Ａとなるように、内方へ向けて徐々に低くなるように傾斜しており、出し入れ口が斜めになり、ボックスティッシュ２０、テレビのリモートコントローラー２１、タオル、体温計、お金など、種々の物が寝たままでも出し入れし易く、また外側へ落ちにくい構造となっている。
【００２０】
なお、以上の物入れ用ポケットＰを前記ポケット用布地９で形成したが、収納してもポケット内部が見えて、収納物が見えるように、透明又は半透明の素材や、網目状の素材で形成してもよい。
【００２１】
１０はリクライニングベッドＲＢの背もたれ部分を起こした場合にも、前記枕１１を収納して、この枕１１を支持できるタオル地から成る枕支持用布地（枕収納部を形成する形成部材）で、前記下半分１Ｂに取り付け取り外しができる。
【００２２】
即ち、この枕支持用布地１０の上端部に一端部が取り付けられた２本の固定用紐１２と前記境界線１Ｃ上の前記敷布団カバー本体１に一端が取り付けられた２本の固定用紐１３とをそれぞれ結ぶと共に、前記枕支持用布地１０の下端部に一端部が取り付けられた２本の固定用紐１４と前記敷布団カバー本体１の下端部に一端が取り付けられた２本の固定用紐１５とをそれぞれ結ぶことにより、この枕支持用布地１０と前記敷布団カバー本体１との間において、横方向、即ち図１の左右方向から前記枕１１が出し入れできるように、前記枕支持用布地１０を前記敷布団カバー本体１に取り付けられ、枕収納部が形成される。
【００２３】
以上のように、前記敷布団カバー本体１に前記枕支持用布地１０を取り付け取り外しができるようにしたから、取り外し、この枕支持用布地１０のみを洗濯することができる。この場合、このように枕支持用布地１０のみを洗濯できるようにしたから、前記枕１１には必ずしも枕カバーをしなくともよくなる。勿論、このように構成された前記敷布団カバー本体１を、前記枕支持用布地１０を取り付けたまま、又は取り外した状態にして、洗濯することができる。
【００２４】
そして、使用者の頭部を冷却するための冷却枕を収納するために、前記枕支持用布地１０上にタオル地から成る冷却枕支持用布地１７がその上端部及び下端部が縫い付けられ、冷却枕支持用収納部が形成される。なお、前記冷却枕は、内部に氷、冷たい水、氷及び水、冷却剤等を収納した氷枕や、アイスノン（登録商標）などから構成される。
【００２５】
前述したように、前記冷却枕支持用布地１７の図１に示す上端部及び下端部が前記枕支持用布地１０に縫い付けられ、横方向、即ち図１の左右方向から前記冷却枕が出し入れできる。なお、本実施形態では、左右のいずれからも出し入れできるようにしたが、左か右のいずれかのみしか前記冷却枕を出し入れできないようにしてもよく、左右と下部を縫い付けて上方を開放して上方から出し入れできるようにしてもよい。
【００２６】
次に、以上のように構成される枕を支持できる敷布団カバーを使用する場合について、以下説明する。初めに、前記境界線１Ｃを中心線として、前記上半分１Ａを下方へ折り返して、前記ベッドマット２の裏方に沿うように位置させる。
【００２７】
すると、前記ベッドマット２及び前記敷布団３の左上角部及び右上角部が前記切除部１Ｄにより形成される開口から外方へはみ出すこととなる。そして、図２に示すように、前記固定用紐７Ａと５Ｂとを、７Ｂと５Ａとを、また前記固定用紐８Ａと６Ｂとを、８Ｂと６Ａとをそれぞれ結んで前記上半分１Ａと前記下半分とをそれらの開放側を連結し、前記敷布団３及び前記ベッドマット２の上部を包むように、前記敷布団カバー本体１を取り付ける。なお、この場合、前記敷布団３の上部のみを包むように、前記敷布団カバー本体１を取り付けるようにしてもよい。
【００２８】
そして、上述したように、前記敷布団カバー本体１を取り付ける前に、前記下半分１Ｂに前記枕支持用布地１０を取り付けてもよいが、取り付けていなかった場合には、前記下半分１Ｂに前記枕支持用布地１０を取り付けて固定する。即ち、前記枕支持用布地１０の上端部の２本の固定用紐１２と前記敷布団カバー本体１に一端が取り付けられた２本の固定用紐１３とをそれぞれ結ぶと共に、前記枕支持用布地１０の下端部の２本の固定用紐１４と前記敷布団カバー本体１に一端が取り付けられた２本の固定用紐１５とをそれぞれ結ぶことにより、前記敷布団カバー本体１に前記枕支持用布地１０を取り付けて固定する。
【００２９】
そして、前記枕支持用布地１０と前記敷布団カバー本体１との間において、図１の左右方向のいずれかから前記枕１１を入れて収納すると、前記リクライニングベッドＲＢの背もたれ部分を起こした場合にも、前記枕支持用布地１０により支持された前記枕１１はずり落ちることが防止される。
【００３０】
更に、使用者が風邪などをひいて熱がある場合には、必要な場合には前記枕１１を外して、或いは外さずに、前記冷却枕支持用布地１７と前記敷布団カバー本体１との間に前記冷却枕を入れて収納すると、このような場合にも対応できる。
【００３１】
また、使用者は前記物入れ用ポケットＰに、ボックスティッシュ２０など、種々の物を収納することができ、しかも使用者が寝たままでも、収納できる。
【００３２】
なお、前記物入れ用ポケットＰに物を収納しない場合には、前述したように、前記枕１１を支持した状態で、以上のように構成された枕を支持できる敷布団カバーを裏返して、使用してもよい。
【００３３】
なお、以上の実施形態では、前記敷布団３（及び前記ベッドマット２）の上部を包むように、前記敷布団カバー本体１を取り付ける際に、前記固定用紐７Ａと５Ｂとを、７Ｂと５Ａとを、また前記固定用紐８Ａと６Ｂとを、８Ｂと６Ａとをそれぞれ結ぶようにしたが、１本ずつ設けるようにして、例えば前記固定用紐７Ｂと５Ａと、前記固定用紐８Ｂと６Ａとをそれぞれ結ぶようにしたり、又は前記固定用紐７Ａと５Ｂとを、前記固定用紐８Ａと６Ｂとをそれぞれ結ぶようにしてもよい。
【００３４】
更には、前記上半分１Ａを下方へ折り返して、前記敷布団３（及び前記ベッドマット２）の上部を包むように、前記敷布団カバー本体１を取り付けるために前記上半分１Ａと前記下半分１Ｂとを連結する手段は、以上のような固定用紐に限らず、マジックテープ（登録商標）などの面ファスナー等を使用してもよい。
【００３５】
更には、前記敷布団カバー本体１を当初から袋状に構成して、リクライニングベッドの、少なくとも背もたれ部分上の前記ベッドマット２及び前記敷布団３を、又は少なくとも前記背もたれ部分上の前記敷布団３を包むようにしてもよい。
【００３６】
また、前記枕支持用布地１０を前記敷布団カバー本体１に取り付ける固定手段として、前記固定用紐１２、１３、１４、１５を使用したが、同様に、このような固定用紐に限らず、マジックテープ（登録商標）などの面ファスナー等を使用してもよい。更には、予め前記枕支持用布地１０を前記敷布団カバー本体１に縫い付けて、取り外しできないようにしてもよい。
【００３７】
以上のように、本発明は、種々の物も収納できて且つ寝たままでも取り出すことができ、極めて使い勝手の良い、実用的な枕を支持できる敷布団カバーを提供することができるという効果がある。
【００３８】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００３９】
１            敷布団カバー本体
２            ベッドマット
３            敷布団
５Ａ、５Ｂ    固定用紐
６Ａ、６Ｂ    固定用紐
７Ａ、７Ｂ    固定用紐
８Ａ、８Ｂ    固定用紐
９            ポケット用布地
１０          枕支持用布地
１１          枕
１２、１３    固定用紐
１４、１５    固定用紐
１７          冷却枕支持用布地
ＲＢ          リクライニングベッド
Ｐ            物入れ用ポケット
【図１】
2015039375.tif 000003
【図２】
2015039375.tif 000004
【手続補正書】
【提出日】平成26年8月30日(2014.8.30)
【手続補正１】
【補正対象書類名】特許請求の範囲
【補正対象項目名】全文
【補正方法】変更
【補正の内容】
【特許請求の範囲】
【請求項１】
枕を支持できる敷布団カバーであって、リクライニングベッドの、少なくとも背もたれ部分上のベッドマット及び敷布団を、又は少なくとも前記背もたれ部分上の前記敷布団を包むように取り付けられ、前記枕が出し入れ可能であって収納された場合には前記背もたれ部分が起きた状態でもずり落ちないように前記枕を支持できるような枕収納部を形成する形成部材を固定手段により取り付け取り外し可能とすると共に前記形成部材に使用者の頭部を冷却するための冷却枕を収納して支持できる冷却枕支持用収納部を形成したことを特徴とする枕を支持できる敷布団カバー。
【手続補正２】
【補正対象書類名】明細書
【補正対象項目名】０００５
【補正方法】変更
【補正の内容】
【０００５】
そこで本発明は、上記問題点に鑑み、構造が簡単であって、使用者の頭部を冷却するための冷却枕を収納できて、極めて使い勝手の良い、実用的な枕を支持できる敷布団カバーを提供することを目的とする。
【手続補正３】
【補正対象書類名】明細書
【補正対象項目名】０００６
【補正方法】変更
【補正の内容】
【０００６】
このため本発明は、枕を支持できる敷布団カバーであって、リクライニングベッドの、少なくとも背もたれ部分上のベッドマット及び敷布団を、又は少なくとも前記背もたれ部分上の前記敷布団を包むように取り付けられ、前記枕が出し入れ可能であって収納された場合には前記背もたれ部分が起きた状態でもずり落ちないように前記枕を支持できるような枕収納部を形成する形成部材を固定手段により取り付け取り外し可能とすると共に前記形成部材に使用者の頭部を冷却するための冷却枕を収納して支持できる冷却枕支持用収納部を形成したことを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明は、構造が簡単であって、使用者の頭部を冷却するための冷却枕を収納できて、極めて使い勝手の良い、実用的な枕を支持できる敷布団カバーを提供することができる。
【手続補正８】
【補正対象書類名】明細書
【補正対象項目名】００３７
【補正方法】変更
【補正の内容】
【００３７】
以上のように、本発明は、構造が簡単であって、使用者の頭部を冷却するための冷却枕を収納できて、極めて使い勝手の良い、実用的な枕を支持できる敷布団カバーを提供することができるという効果がある。